(57)【要約】着用者を楽しませると共に着用者によって着用されるように適応された審美的形状を有する構成物を提供する。構成物は指輪、チェーン、ブレスレット、ピン、留め金、クリップ、およびボディピアス要素などの着用者接続要素を有する構成を提供する。少なくとも２つの流体が配置される流体リザーバを含む機能要素と動作生成システムとが構成で一体化される。動作生成システムは少なくとも２つの流体を撹拌するように機能的に構成に取り付けられ、視覚アニメーション効果を生む。構成物、特に宝飾品は、１つまたはそれ以上の流体を収容する１つまたはそれ以上のチャネルおよび／またはリザーバに組み込まれてもよく、流体およびチャネル／リザーバの形状と表面加工が１つまたはそれ以上の流体との定義された相互作用を促進するように物性を所有するよう選択される。相互作用は装置の視覚的外観に影響し、該装置は任意的に少なくとも一部、貴金属、真珠などの天然成分、および／または貴石で形成される。
2019529023.tif 000002
【特許請求の範囲】
【請求項１】
着用者を楽しませると共に前記着用者に着用されるように適応された審美的形状を有する構成物であって、前記構成物は、指輪、チェーン、リストバンド、ピン、留め金、クリップ、およびボディピアス要素からなる着用者接続要素グループから１つ選択される着用者接続要素を有する構成を提供し、機能要素は前記構成で一体化され、前記機能要素は、
前記構成に取り付けられた少なくとも１つの流体リザーバと、
前記流体リザーバ内に配置される少なくとも２つの流体と、
前記少なくとも２つの流体を撹拌するように前記構成に機能的に取り付けられ、視覚アニメーション効果を生む動作生成部と、
からなることを特徴とする構成物。
【請求項２】
前記少なくとも２つの流体を収容する、１つまたはそれ以上のチャネルおよび／またはリザーバを組み込み、チャネル／リザーバの前記流体および前記形状と表面加工が前記少なくとも２つの流体との定義された相互作用を促進する物性を所有するように選択され、前記相互作用が前記構成物の視覚的外観に影響し、前記構成物は任意的に少なくとも貴金属、真珠などの天然成分、および／または貴石の一部であることを特徴とする請求項１に記載の構成物。
【請求項３】
前記動作生成システムが、前記少なくとも２つの流体のうち少なくとも１つを撹拌するバッテリー駆動電気モータであることを特徴とする請求項１に記載の構成物。
【請求項４】
前記動作生成システムが、前記少なくとも２つの流体のうち少なくとも１つの少なくとも１つを撹拌するスプリングバレル通電モータであることを特徴とする請求項１に記載の構成物。
【請求項５】
前記動作生成システムが、最初前記ユーザーによって変形され、それからその平衡状態に戻る前記流体リザーバの、弾力性のある部分であることを特徴とする請求項１に記載の構成物。
【請求項６】
前記動作生成システムが、前記少なくとも２つの流体のうち少なくとも１つの、前記環境温度および前記熱膨張特性の組み合わせであることを特徴とする請求項１に記載の構成物。
【請求項７】
前記動作生成システムが、前記少なくとも２つの流体のうち少なくとも１つの、磁気吸引力および強磁性特性の組み合わせであることを特徴とする請求項１に記載の構成物。
【請求項８】
前記動作生成システムが、前記少なくとも２つの流体のうち少なくとも１つの、前記構成物の着用者の動きおよび前記質量の組み合わせであることを特徴とする請求項１に記載の構成物。
【請求項９】
前記動作生成システムが重力効果を含むことを特徴とする前記請求項のいずれかに記載の構成物。
【請求項１０】
前記動作生成システムが、毛管作用など前記流体および／または前記流体リザーバの表面張力効果を含むことを特徴とする前記請求項のいずれかに記載の構成物。
【請求項１１】
前記動作生成システムが、前記流体および／または表面微小構成物および／または前記流体リザーバのコーティング、の表面張力を含むことを特徴とする前記請求項のいずれかに記載の構成物。
【請求項１２】
電源を入／切にする石あるいは石のような外観の要素、または前記流体内で沈む／現れる装飾要素など、前記構成物の装飾要素の外観が前記アニメーションによって変化することを特徴とする前記請求項のいずれかに記載の構成物。
【請求項１３】
前記アニメーションによって、前記流体が一時的におよび／または永久的に撹拌されることを特徴とする前記請求項のいずれかに記載の構成物。
【請求項１４】
パティキュレートが前記少なくとも２つの流体のうち少なくとも１つで懸濁することを特徴とする前記請求項のいずれかに記載の構成物。
【請求項１５】
前記少なくとも２つの流体が少なくとも一部非混合性であることを特徴とする前記請求項のいずれかに記載の構成物。
【請求項１６】
前記少なくとも２つの流体が液体であることを特徴とする前記請求項のいずれかに記載の構成物。
【請求項１７】
少なくとも１つの流体が液体でその他の流体が気体であることを特徴とする前記請求項のいずれかに記載の構成物。
【請求項１８】
１つの流体が他の流体と容易に視覚識別が可能となるように、前記少なくとも２つの流体が異なる色または屈折率であることを特徴とする前記請求項のいずれかに記載の構成物。
【請求項１９】
金箔などの装飾要素が少なくとも１つの流体で懸濁することを特徴とする前記請求項のいずれかに記載の構成物。
【請求項２０】
前記リザーバが視認可能または隠れた温度補償システムを含むことを特徴とする前記請求項のいずれかに記載の構成物。
【請求項２１】
前記リザーバが迷路状または迷路であることを特徴とする前記請求項のいずれかに記載の構成物。
【請求項２２】
前記構成物が時計であることを特徴とする前記請求項のいずれかに記載の構成物。
【請求項２３】
前記流体が機械的入力で移動可能であることを特徴とする請求項１に記載の構成物。
【請求項２４】
前記移動要素の動きが１つまたはそれ以上の流体の存在によって制御可能である密封システムに収容されることを特徴とする前記請求項のいずれかに記載の構成物。
【請求項２５】
前記請求項のいずれかに記載の前記構成物の作動方法であって、着用者が
ａ．前記構成物の向きを合わせるステップ
ｂ．動作生成部を作動させるステップ、および／または
ｃ．角度を変えて重力が前記構成物を介して作用するように前記構成物の向きを変え、それによってアニメーション効果を変化または惹起するステップ
を実行する方法。
【発明の詳細な説明】
【関連出願の相互参照】
【０００１】
本発明は、２０１７年１月１１日に出願された米国仮出願第６２／４４５，０５０号「動的流体宝飾品」、２０１６年１０月６日に出願された米国仮出願第６２／４０４，９７８号「機械的入力を介して動く封入液を備えた宝飾品」、２０１６年９月２０日に出願された米国仮出願第６２／３９６，８３３号「着用可能な動く流体式の宝飾品、時計およびその他の装置」、および２０１６年１０月６日に出願されたＰＣＴ出願第ＰＣＴ／ＩＢ２０１６／００１４４８号「動的流体表示を備えた着用可能な構成物」の便益を主張し、参照として組み込まれると共にそれに依拠し、保護を求めるものとされる特徴を定義するために、その内容はそのすべてが発明の根底にある技術的課題の解決に寄与するものと理解され、本文書で言及される特徴には特に重要なものもあるとされる。
【著作権および法的告知】
【０００２】
本特許文書に開示されるものの一部には、著作権保護の対象となる資料が含まれている。出願人は、特許商標庁の記録として特許開示されている特許文書に関しては、第三者によるファクシミリ複製に異論はないが、そうでない場合はいかなる場合も、すべての著作権を留保する。また、本願に記載される第三者の特許又は記事は、先行技術を理由として、本発明がその資料を先行する権利がないことを承認するものとして考慮すべきでない。
【背景技術】
【０００３】
本発明は、特に宝飾品に係る装置に関する。審美的意匠の提供および／またはクリスタル、石、貴金属など貴金属品の具備は宝飾品の本質である。しかし一般に、視覚効果は宝飾品に積極的に適用されない。貴金属は宝飾品の魅力をさらに高めるように宝飾品に関連付けられる。
【０００４】
したがって宝飾品の魅力を高める手段が必要だが、これは特定の流体およびチャネル／リザーバを用いる視覚効果の応用によって、流体の特定の物性（例えば、密度、温度機能の密度変化、温度機能の質量変化、屈折、色、透明度、伝導性、粘度、強磁性、表面張力）および／またはチャネルの／リザーバの特定の物性（例えば、表面張力、不透明度、透明度、表面構造、伝導性、強磁性）の利用によって、および／または機械的入力、例えばボタンの押圧あるいは宝飾要素の移動を介して流体に影響を及ぼす／動かすことによって、および／または審美的特徴としての少なくとも１つの電気駆動移動要素によって、なる。
【発明の開示】
【０００５】
着用者を楽しませると共に着用者に着用されるように適応された審美的形状を有する構成物を提供する。構成物は、指輪、チェーン、リストバンド、ピン、留め金、クリップ、ボディピアス要素などの接続要素を着用者に与える構成を提供する。少なくとも２つの流体が配置される流体リザーバを含む機能要素と動作生成システムとが構成で一体化される。動作生成システムは少なくとも２つの流体を撹拌するように機能的に構成に取り付けられ、視覚アニメーション効果をもたらす。
【０００６】
構成物、特に宝飾品に係る構成物は、少なくとも２つの流体を収容するチャネルおよび／またはリザーバを１つまたはそれ以上組み込み、流体ならびに形状、表面処理は、１つまたはそれ以上の流体を備えた、定義された相互作用を促進するような特性を有するよう選択される。相互作用は装置の視覚的外観に影響し、該装置は任意的に少なくとも一部、貴金属、真珠などの天然成分、および／または貴石からなる。
【０００７】
これらの流体または一部の流体は観察者に視認可能であり、審美的要素のように作用する。該要素は着色されるか無色で、浮遊粒子／浮遊しない粒子または懸濁粒子を含み、このため動きが付されることも可能とされる。宝飾品の一部または時計の動きは、それらの位置に関連して力を加えられる要素を作動させることで得られる。動き要素は装飾部品を含み、装飾部品は貴石でもよい。流体は気体または液体とされ、１つ以上の流体が用いられる場合、これらの流体は非混合性とされる。装置はさらに本明細書および／または本図面に記載のいかなる特徴および要素をも包含する。装置の作動方法は本明細書および／または本図面に記載される。
【０００８】
流体の熱膨張は、２０１６年４月７日出願の第ＰＣＴ／ＩＢ２０１６／０００４４８号、２０１６年１月７日出願の第ＰＣＴ／ＩＢ２０１６／０００００４号、２０１５年９月１１日出願の第ＰＣＴ／ＩＢ２０１５／００１６１１号、２０１５年８月６日出願の第ＰＣＴ／ＩＢ２０１５／００１３３６号、２０１５年４月７日出願の第ＰＣＴ／ＩＢ２０１５／０００４４６号の特許出願に開示される発明によって抑制および補償される。２０１５年４月７日出願の第ＰＣＴ／ＩＢ２０１５／０００４４８号の内容は、本件で請求する発明を定義するために、参照することで組み込まれると共に、それに依拠する。
【０００９】
本文書は本件で請求する発明の異なる実施態様を明らかにする。実施態様はチャネル／リザーバ、流体、および装飾要素の間の定義された相互作用を確立するような特性の利用法を例示する。
【図面の簡単な説明】
【００１０】
【図１Ａ】第１実施態様の断面図である。
【図１Ｂ】図１Ａを別の位置からみた断面図である。
【図１Ｃ】図１Ａをまた別の位置からみた断面図である。
【図１Ｄ】図１Ａをまた別の位置からみた断面図である。
【図１Ｅ】同じ実施態様の別の変形の断面図である。
【図１Ｆ】第１実施態様の概略図である。
【図２Ａ】第２実施態様の斜視図である。
【図２Ｂ】第２実施態様の断面図である。
【図２Ｃ】動作中の第１段階における本発明の第２実施態様の断面図である。
【図２Ｄ】動作中の第２段階における本発明の第２実施態様の断面図である。
【図２Ｅ】動作中の第３段階における本発明の第２実施態様の断面図である。
【図２Ｆ】動作中の第４段階における本発明の第２実施態様の断面図である。
【図２Ｇ】動作中の第５段階における本発明の第２実施態様の断面図である。
【図３Ａ】第３実施態様の概略図である。
【図３Ｂ】ネックレスとして設定された第３実施態様の第１図である。
【図３Ｃ】ネックレスとして設定された第３実施態様の第２図である。
【図３Ｄ】ネックレスとして設定された第３実施態様の第３図である。
【図３Ｅ】第３実施態様の側面図である。
【図４Ａ】本発明の第４実施態様の斜視図である。
【図４Ｂ】ある１段階における第４実施態様の正面図である。
【図４Ｃ】別の段階における第４実施態様の正面図である。
【図４Ｄ】ベローズリザーバを示す第４実施態様の正面断面図である。
【図５Ａ】第５実施態様の概略図である。
【図５Ｂ】ネックレスペンダントに実装された第５実施態様の斜視図である。
【図５Ｃ】第５実施態様であるペンダント実装の概略斜視図である。
【図６Ａ】第６実施態様の断面図である。
【図６Ｂ】第６実施態様の正面図である。
【図６Ｃ】正立／倒立で充填する際のピクチャーを表示する第６実施態様を開示する。
【図６Ｄ】ペンダントとしての第６実施態様の１つの実装の斜視図である。
【図６Ｅ】第６実施態様の別の図である。
【図６Ｆ】第６実施態様の概略図である。
【図６Ｇ】第６実施態様の正面図である。
【図７Ａ】第７実施態様の概略斜視図である。
【図７Ｂ】第７実施態様の１つの実装を示す。
【図７Ｃ】第７実施態様の実装の正面図である。
【図７Ｄ】観察者に視認不可能な第７実施態様の実装の背面図である。
【図８Ａ】第８実施態様の概略断面図である。
【図８Ｂ】第８実施態様のまた別の概略図である。
【図８Ｃ】第８実施態様の異なる実装を示す。
【図９Ａ】第９実施態様の概略図である。
【図９Ｂ】第９実施態様の変形である。
【図９Ｃ】第９実施態様の変形である。
【図９Ｄ】第９実施態様の変形である。
【図９Ｅ】第９実施態様の変形である。
【図１０Ａ】第１０実施態様の概略図である。
【図１０Ｂ】第１０実施態様の動作中の１段階である。
【図１１Ａ】第１１実施態様の断面図である。
【図１１Ｂ】第１１実施態様の変形の断面図である。
【図１１Ｃ】第１１実施態様の断面正面図である。
【図１１Ｄ】第１１実施態様の平面図である。
【００１１】
図面に示される要素は単純化及び明確性のために開示され、必ずしも正寸で描かれていないことは、当業者には明らかである。例えば、本発明の様々な実施形態の理解をより深めるために、図面のいくつかの要素の寸法は、その他の要素に対して強調して描かれていることもある。さらに、本件で用いられる「第１」、「第２」やその類の用語は、とりわけ、類似する要素を区別するために使用され、必ずしも順次的または時系的な順番を示すものではない。また、明細書および／または請求項における「正面」、「背面」、「上部」、「下部」やその類の用語は、便宜的な目的で使用され、必ずしも限定的な相対位置を総合的に表わすものではない。上記のように用いられる用語は、例えば、本願で開示される様々な実施形態が、明確に図示又は説明される以外の構成および／または配向でも操作可能であるような、適切な状況下では置き換えられてもよいことを当業者は理解されたい。
【好適な実施形態の詳細な説明】
【００１２】
以下の説明は本質的に例示的であり、本願が出願された時点で発明者が知り得た本発明の最良の態様を説明するもので、本発明の範囲をいかなる意味でも制限するものではない。その結果として、本願で開示される例示的な実施形態におけるすべての要素の配置および／または機能は、本願発明の精神および範疇から逸脱することなく変更を加えることが可能である。
【００１３】
図１Ａから１Ｆを参照すると、本発明の装置は一般に宝飾品の一部であって、前板１０１、背板１０２、スペーサ１０３からなる。前板１０１は半透明あるいは一部不透明な材料からなるのが好ましく、または石、クリスタル、インクルージョン、あるいは類似の装飾材料１０６で装飾される。前板１０１、背板１０２、スペーサ１０３を組み合わせることで１つまたはそれ以上の流体１０４、１０５を収容することのできるチャンバが作り出され、流体１０４、１０５は、板１０１、１０２、あるいはそれらの装飾１０６の材料と同じ屈折率を有しても有さなくてもよい。流体１０４、１０５は、液体および／または蒸気であることが好ましい。分離１０７（任意的に、透明／半透明／不透明な分離、または鏡など）はチャンバを２つのリザーバに分離する。各流体がリザーバのうち１つに留まるように、装置のアタッチメント１０８は（重力と関連する）平衡位置を保証する。また、アタッチメント１０８は隠れた熱補償システムを備えてもよい。装置の位置を一時的に変化させることで、図１Ａに示されるその第１位置から図１Ｂに示される第２位置まで、ユーザーは流体を移動させてそれらの位置を変えることができる。図１Ｃでは、その最初の位置にある装置が再度開示されている。流体１０４、１０５の特性によって、前板の透明部分は１つの色から別の色へと変化するか、視認可能または視認不可能になるか、より暗く／明るくなる。図１Ｄでは、装置の位置を第３位置に変化させることで、図１Ａで示されるそれらの最初の位置に戻る流体１０４、１０５が開示されている。次に図１Ｅを参照すると、石、クリスタル、インクルージョン、または類似の装飾材料１０６を組み込み、装置の水密性を保証する分離１０７に位置される代替実施態様が開示されている。流体１０４、１０５を交換することで、例えばクリスタルである装飾材料１０６の視認性が変化する。次に図１Ｆを参照すると、装置はイヤリングに実装される。
【００１４】
次に図２Ａおよび２Ｂを参照すると、貴石または半貴石６２のはめ込み台を備え、ガラスまたはクリスタルのプレート部６４に配置されたブレスレット６０が開示され、プレート部自体はベース部６６に接着されてなる。そのうちの１つは気体でもよいとされる、１つまたはそれ以上の流体６８、７０は、上記ベース部６６とプレート部６４との間に収容され、液体のうち１つは任意的には強磁性流体でもよい。液体を撥水および／または吸引する疎水性、親水性、疎油性または親油性のコーティング７２、７４により、金属性のベース部６６および／またはガラスまたはクリスタル６４上のチャンバ７６内で特定数の石６２が該液体６８または７０の凹部によって濡らされる。石６２はコーティングされていてもされていなくてもよい。その底部が気体内に位置する石との間でコントラストが生じるように、液体６８、７０の屈折率は石６２の光沢を鈍らせるように選択される。これによって、図示のような動くデザインがはめ込み台上で形成される。石６２は、ガラスまたはクリスタル６４に不浸透性に水密となるように取り付けられる。
【００１５】
次に図２Ｃから２Ｇを参照すると、図２Ａおよび２Ｂで示された実施態様の変形が開示され、ダイヤモンドまたはその他の形状の外観を再創出するような方法でプレート部の装飾２０６および２０７の形状が設計されている。特に図２Ｅでは、透明／半透明の背板２０２を具備した実施態様が開示されている。装飾要素２０６（図２Ｃのクリスタル）のいくつかの色は流体２０４の位置によって変化する。図２Ｃでは、流体２０４は着色され、流体２０５は透明である。図２Ｄでは、透明／半透明の背板２０２を具備した実施態様が開示されている。装飾要素２０６（図２Ｄでは、装飾要素はクリスタル）のいくつかの視認性は流体２０４の位置によって変化する。図２Ｄでは、流体２０４に近接して位置する装飾要素２０６の視認性を変化させるように光を屈折させるために選択された屈折率を有する。図２Ｅでは、（鏡面効果を提供する）金属化された表面からなる背板２０２を具備した実施態様が開示されている。装飾要素２０６（図２Ｅではクリスタル）のいくつかの色は流体２０４の位置によって変化する。流体２０４は着色されるか透明であるのが好ましく、流体２０４に近接して位置する装飾要素２０６の視認性を変化させるように光を屈折させるために選択された屈折率を有する。図２Ｆではペンダント２５０に実装される装置が開示されている。例えば、ペンダント２５０は、ガラス２５２および／または例えばクリスタルである貴石２５４から構成されるのが好ましい。ペンダント２５０は流体または液体２５６を収容する。特に図２Ｇでは、別のブレスレットで実施される装置が開示されている。
【００１６】
次に図３Ａから３Ｅを参照すると、本発明の装置は前板３０１および背板３０２からなる。前板３０１は、透明、半透明、あるいは一部不透明な材料が好ましく、または石、クリスタル、インクルージョン、あるいは類似の装飾材料で装飾されるのが好ましい。背板３０２は、透明、半透明、一部不透明、不透明、あるいは（鏡面効果を提供する）金属化された材料が好ましく、または石、クリスタル、インクルージョン、あるいは類似の装飾材料で装飾される。前板３０１、背板３０２、およびスペーサ３０３を組み合わせることで、異なる密度を有する１つまたはそれ以上の非混合性流体を収容するチャンバ３０７が作り出される。流体は１つまたはそれ以上の粒子あるいは移動要素３０９を収容してもよい。流体は粒子または移動要素３０９と同じ屈折率を有しても有さなくてもよい。チャンバ３０７はシェルフ３０４を収容してもよく、シェルフ３０４は流体および／または粒子あるいは移動要素３０９の蓄積物３０６を生成する。チャンバ３０７の下部で蓄積するように、シェルフ３０４は流体または粒子あるいは移動要素３０９のための流量制限部３０５を生成するとされる。シェルフ３０４は視認可能か隠れているのが好ましい。回転軸３０８はシステムの倒立を可能にし、下方に流れるように、より高密度の流体の動きを開始して、その結果、新しい一部ランダムなピクチャーを創出する。また、粒子または移動要素３０９の流速は流体の性質（粘度、泡の存在など）に影響される。チャンバ３０７は、図３Ａに示されるように長方形状が好ましいが、もちろん図３Ｂに示されるように円状でもよく、（図示されていないが）楕円形や正方形など別の形状でもよい。図３Ｂから３Ｅを参照すると、円形チャンバ３１０および代替アタッチメント機構部がチャンバの回転を可能にする。
【００１７】
次に図４Ａから４Ｄを参照すると、透明、半透明、あるいは一部不透明な材料、または石、クリスタル、インクルージョン、あるいは類似の装飾要素で装飾された材料からなる本発明のコンテナ４０１が開示されている。コンテナ４０１は視認可能または隠れた温度補償システムを収容してもよい。また、コンテナ４０１は上部流体４０２および下部流体４０３を含む。上部流体４０２は、透明、半透明、あるいは着色されるのが好ましく、１つ以上の（熱膨張制御を支援する気泡を含む）流体を含んでなってもよく、または気体でもよい。上部流体４０２は下部流体４０３よりも低い密度を有する。上部流体４０２および下部流体４０３は非混合性である。下部流体４０３は、透明、半透明、または着色されてもよい。下部流体４０３は上部流体４０２よりも高い密度を有する。下部流体４０３は審美的要素４０４と同じ屈折率を有するとされる。下部流体４０３は温度によって密度が大きくばらつくよう選択される。審美的要素４０４はコンテナ４０１に収容され、本質的に少なくとも１つの流体に囲まれる。審美的要素４０４は透明または着色された材料からなり、要素４０４自体とは実質的に異なる形状または形態を有利にも有する別の流体または液体をそれ自体収容してもよい。本実施態様では、実質的に同じ屈折率を有する液体に囲まれる場合に要素４０４は視認不可となるにもかかわらず、要素４０４には異なる形態のものが収容され、液体がそれを覆う、あるいはそれから後退させる場合に、要素４０４は完全に形状を変えるか、あるいは別の形態に変形するという印象を与える。審美的要素４０４は、例えば糸などの透明器具によってシステムに保持されるのが好ましい。審美的要素４０４の密度は、例えばベローズ４０６との接続を介して調整されてもよく、ベローズは要素４０４に流入する流体量を制御し、その結果、要素は浮くまたは沈もうとする。別の変形では、装置（コンテナ４０１、上部流体４０２、下部流体４０３、審美的要素４０４）が所定温度未満である場合に要素を下部流体４０３の表面の下に浮かせるため、かつ該装置の温度が該温度より大きい場合に下部流体４０３の表面の上に部分的に浮かせるために、審美的要素４０４の密度は調整される。低温の場合、審美的要素４０４は下部流体４０３の表面の下に浮き、下部流体４０３の屈折率が審美的要素４０４の屈折率と同じである場合、それは視認不可となる。代替的に、同じ効果を得るためには、下部流体４０３は不透明であるのが好ましく、またはコンテナ４０１はその下部で不透明でもよい。より高温の場合、審美的要素４０４は上昇し、部分的に／完全に視認可能となる。図４Ｄを参照すると、高熱膨張特性を備えた流体で充填された弾力性のあるベローズ４０６からなるコンテナ４０１の変形が開示されている。ベローズ４０６の膨張または収縮は、下部流体４０３の高さを変え、審美的要素４０４を隠したり表示したりする。さらに代替的に、審美的要素４０４は、ベローズに固定されて上昇／下降するのが好ましく、ベローズ４０６内に収容された流体の高熱膨張／収縮の機能を隠したり表示したりする。
【００１８】
次に図５Ａから５Ｃを参照すると、本発明のコンテナ５０１は、透明、半透明、あるいは一部不透明な材料を含むか、または石、クリスタル、インクルージョン、あるいは類似の装飾要素で装飾される。コンテナ５０１は視認可能あるいは隠れた温度補償システムを収容してもよい。また、コンテナは軽量流体５０２および重量流体５０３を収容する。軽量流体５０２は、透明、半透明、または着色されてもよい。軽量流体は１つ以上の（熱膨張制御のための気泡を含む）流体を含んでなってもよく、または気体でもよい。軽量流体５０２は重量流体５０３より低い密度を有する。軽量流体５０２および重量流体５０３は非混合性である。重量流体５０３は、透明、半透明、または着色されてもよい。重量流体５０３は軽量流体５０２より高い密度を有する。コンテナ５０１は（任意的に調整される）狭い開口部５０４からなり、重量流体５０３がコンテナ５０１の下部に下降し、軽量流体５０２がコンテナ５０１の上部に上昇することを可能にする。システムが倒立状態となった場合に、チャネル５０５（任意）は重量流体５０３をコンテナ５０１の上部に再度戻すことを可能にする。アタッチメントシステム５０６はシステムを正立状態で保持する。図５Ｃでは、システムが倒立状態となることを可能にし、いかなるチャネル５０５をも必要としないという利点を有する代替的アタッチメントシステム５０６が開示されている。
【００１９】
次に図６Ａから６Ｇを参照すると、装置は再度、一般に宝飾品の一部で、上部リザーバ８０１および下部リザーバ８０２を含んでなる。上部リザーバ８０１は、透明、半透明、一部不透明、または不透明な材料を含んでなる。上部リザーバ８０１は視認可能または視認不可能な温度補償システムを収容してもよい。下部リザーバ８０２は、透明、半透明、着色、一部不透明、または不透明な材料からなる。下部リザーバ８０２は視認可能または隠れた温度補償システムを収容してもよい。また、この装置はピクチャーチャンバ８０３を含む。ピクチャーチャンバ８０３は、透明、半透明、または着色された材料からなってもよい。ピクチャーチャンバ８０３は上部リザーバ８０１および下部リザーバ８０２に接続される。また、ピクチャーチャンバは表面加工および／または微小構成物創出パターン８０４の区間を有する。接続された上部リザーバ８０１、ピクチャーチャンバ８０３、および下部リザーバ８０２を介して提供されるコンテナは軽量流体８０５および重量流体８０６を収容する。軽量流体８０５は、透明、半透明、または着色されてもよい。軽量流体８０５は１つ以上の（熱膨張制御のための気泡を含む）非混合性流体からなってもよく、または気体でもよい。軽量流体８０５は重量流体８０６より低い密度を有する。軽量流体８０５および重量流体は非混合性である。重量流体８０６は、透明、半透明、または着色されてもよい。重量流体８０６は軽量流体８０５より高い密度を有する。アタッチメントシステム８０７はシステムを正立状態で保持し、装置の正立状態または倒立状態での保持を可能にする。図６Ａに示される装置の位置では、重量流体８０６は重力に従って上部リザーバ８０１から下部リザーバ８０２に下降するが、特定のコーティングまたは微小構成物８０４の区間で緩慢化され、次第にピクチャーチャンバ８０３を充填し、その後それを空にして、重量流体が完全に下部リザーバ８０２に収容される。その間、軽量流体８０５は下部リザーバ８０２から上部リザーバ８０１まで上昇する。緩慢化される重量流体８０６を介して示される画像からフェードイン／フェードアウトする時間を設定するために、流体８０５、８０６の粘度およびピクチャーチャンバ８０３が提供するチャネルのサイズが注意深く選択され、組み合わされる。その後、装置は倒立状態に適応され、このとき、画像が再び充填または空になり始める。コーティングおよび／または微小構成物パターン８０４は正立または倒立位置で充填される場合に（図６Ｃ）、異なるピクチャーを表示するような方法でなされるのが好ましい。例えば、図６Ｄから６Ｇでは、宝飾品に実装される本発明の実施態様が開示されている。
【００２０】
次に図７Ａから７Ｄを参照すると、装置は上部リザーバ９０１および下部リザーバ９０２を含む。上部リザーバ９０１は、透明、半透明、一部不透明、または不透明な材料からなる。上部リザーバ９０１は視認可能または隠れた温度補償システムを収容してもよい。下部リザーバ９０２は、透明、半透明、着色、一部不透明、または不透明な材料からなる。下部リザーバ９０２は視認可能または隠れた温度補償システムを収容してもよい。また、装置は任意的に、透明、半透明、着色、一部不透明、または不透明な材料のピクチャー背景９０３を含む。表面加工および／または微小構成物を備えた、または備えない、チャネル９０４のネットワークは、上部リザーバ９０１および下部リザーバ９０２に接続される。ネットワークチャネル９０４はピクチャー背景９０３の前方か後方のどちらかにある。装置は軽量流体９０５および重量流体９０６を含む。軽量流体９０５は、透明、半透明、または着色されてもよい。軽量流体９０５は１つ以上の（熱膨張制御のための気泡を含む）流体からなってもよく、または気体でもよい。軽量流体９０５は重量流体９０６より低い密度を有する。軽量流体９０５および重量流体は非混合性である。重量流体９０６は、透明、半透明、または着色されてもよい。重量流体９０６は軽量流体９０５より高い密度を有する。アタッチメントシステム９０７はシステムを正立状態で保持し、装置の正立または倒立状態での保持を可能にする。重量流体９０６は重力効果で上部リザーバ９０１から下部リザーバ９０２に下降するが、緩慢化してネットワークチャネル９０４内に配置され、次第にピクチャーを充填し、その後それを空にして、完全に下部リザーバ９０２に収容される。その間、軽量流体９０５は下部リザーバ９０２から上部リザーバ９０１に上昇する。その間ピクチャーが視認可能または「活気づく（ａｌｉｖｅ）」時間を設定するために、流体９０５、９０６の粘度およびチャネル９０４のサイズが細心の注意を払って組み合わせられる。その後、装置は倒立状態になり、画像が再び充填／空にされ始める。
【００２１】
次に図８Ａから８Ｃを参照すると、任意的に宝飾品の一部で具現化する装置１０００はコンテナ１００１からなる。コンテナ１００１は、透明、半透明、あるいは一部不透明な材料からなるのが好ましく、または石、クリスタル、インクルージョン、あるいは類似の装飾材料で装飾される。コンテナ１００１は視認可能または隠れた温度補償システムを収容してもよい。コンテナ１００１は流体１００２を収容する。流体１００２は、透明、半透明、または着色されてもよい。流体１００２は相互に非混合で、高粘度である。装置は撹拌機１００３からなる。撹拌機１００３は、透明、半透明、または着色された材料からなってもよい。撹拌機１００３の表面は（例えば、限局性コーティング、微小構成物などを介して）視認可能または視認不可能に構成されてもよい。撹拌機はトランスミッション１００４で駆動する。図８Ｂでは、無接点磁気トランスミッションが開示されている。図８Ａではダイレクト機械リンクが開示されている。また、装置は任意的にトランスミッション１００４を駆動するモータ１００５からなる。例えば、モータ１００５はスプリングバレル解放機構または電気モータとして実現されるのが好ましい。また、モータ１００５は速度リミッタを含みうる。モータ１００５を駆動するエネルギー源として、スプリングバレル１００６またはバッテリーが用いられるのが好ましい。代替的に、トランスミッションは、例えばコード、プッシュボタン、時計の再巻取機構のような冠歯車を介して、手動で動く。ユーザーは（例えばコードを引っ張る、電源を入れる、などして）エネルギー入力を作動させてもよい。モータ１００５はトランスミッション１００４を介して撹拌機１００３を作動させ、コンテナ１００１内の流体１００２を撹拌する。ストレージ１００６内の蓄積エネルギーが消費されるまで、またはユーザーが電源を落とすまで、該動きによって、撹拌する流体がランダムなピクチャーを次々と生成する。撹拌が止まると、流体が再編成する。
【００２２】
次に図９Ａから９Ｅを参照すると、装置、任意的に本発明の宝飾品は、１つまたはそれ以上の非混合性流体１１０４、１１０６を収容する、１つまたはそれ以上の弾力性のある透明チューブ１１０２からなる。流体を収容する透明チューブ１１０２は、石、クリスタル、または類似の装飾要素１１１０で装飾されるのが好ましく、撹拌機／コンテナ１１１２に接続される。撹拌機／コンテナは任意的に流体の収容が可能で、その位置（例えば、着用者の首の後ろなど）によって視認可能または隠れていてもよく、図８に例示の通り作動されてもよく（例えば、スプリングバレルシステム、電気モータ、プッシュボタンなど）、またはそれを機能させるために重力にのみ従ってもよい。非混合性流体は撹拌機／コンテナが定義するシーケンスにおいて、弾力性のあるチャネルに流れ込む。撹拌機／コンテナがそれを機能させるために重力にのみ従う場合、ネックレスの使用後は倒立状態で保管され、流体が撹拌機／コンテナに戻り、流体がそれらの密度および非混合性に従って再編成するようにする。
【００２３】
次に図１０Ａおよび１０Ｂを参照すると、本発明の装置は宝飾品の一部であるのが好ましく、コンテナ１２０１からなる。コンテナ１２０１は、透明、半透明、あるいは一部不透明な材料からなってもよく、または石、クリスタル、インクルージョン、あるいは類似の装飾材料で装飾されてもよい。コンテナ１２０１は視認可能または隠れた温度補償システムを収容してもよい。コンテナ１２０１は流体１２０２および１２０３を収容する。流体１２０２は強磁性で、および／または強磁性粒子を含み、透明、半透明、または着色されてもよい。流体２０１３は、透明、半透明、または着色されてもよい。流体１２０２および１２０３は相互に混合しない。本発明の装置は磁石１２０４からなる。磁石１２０４は、特定の形態に配置された、複数のより小型の磁石からなってもよい。本発明の装置はモータ１２０５（本件には開示されないが、図８の１００５と類似）を含み、磁石１２０４の動き生成が可能である。モータ１２０５は、例えば１つ以上の方向、および／または１つ以上の面で、複雑な動きの生成が可能であるのが好ましい。モータ１２０５は、スプリングバレル解放機構であるのが好ましく、または電気モータである。速度制限部を含んでもよい。本発明の装置は任意的にエネルギー蓄積容量（本件には開示されないが、図８の１００６と類似）を含み、それはスプリングバレルまたはバッテリーであってもよい。装置は、コード、プッシュボタン、時計の再巻取機構のような冠歯車などの手動エネルギー入力（本件には開示されないが、図８と類似）を含む。ユーザーは（例えば、コードを引っ張る、電源を入れる、などして）エネルギー入力１２０７を作動させ、モータ１２０５は磁石１２０３を動かして、強磁性流体１２０２の動きがコンテナ１２０１内で生成する。ストレージ１２０６に蓄積されたエネルギーが消費されるまで、またはユーザーが電源を切るまで、該動きによって強磁性流体１２０２のランダムな形態が次々と発生する。強磁性流体の形態はコンテナの装飾（例えば、クリスタル）の外観の変化を生成するのに用いられるのが好ましい。
【００２４】
次に図１１Ａを参照すると、透明なガラス窓、クリスタル、またはサファイアを備え、迷路を形成する台板および上昇チャネルを有する指輪が提供される。上昇チャネルは台板に水密的に固定される。システムは異なる形状を有するチャネルからなり、例えば垂直チャネル、木構造チャネル、らせん状チャネル、またはその他の形状のチャネルである。チャネル間またはチャネル内において、例えば貴重な材料からなる要素など従来の宝飾は、チャネルの境界に沿って、チャネル内で、および／または装飾として、配置される。
【００２５】
チャネル内での流体の第１の動きは、宝飾要素を押圧する、滑らかに動かせる、または移動させることを通じて作動される。この宝飾要素は機械的に第１ベローズに接続される。第１ベローズは第１着色または非着色液体を収容し、これは宝飾要素の押圧を介してチャネルに押し込まれる。第１液体は、第２着色または非着色液体を押圧する。第１液体および第２液体は非混合性である。チャネルは指輪後部の隠しチャンバと流体連通する。チャンバは、弾力性があり、変形可能な金属膜１５３６を有する。例えば指で膜に圧をかけて、その最初の位置を徐々に戻し、それによって第２液体を、その後第１液体をベローズに戻す場合、膜１５３６は弾力的に変形可能である。この結果、実質的に第１の動きとは反対の方向へと第２の動きが作り出される。第１の動きの速度と第２の動きの速度は、チャネル自体の水圧耐性、小型オリフィス１５０７または４ｂの追加、または水圧耐性を増す物質の追加、のいずれかによって、制御される。
【００２６】
本発明の宝飾品のカボションまたは一部は、ユーザーによるプッシュボタン１５０２の押圧によって作動する。プッシュボタン１５０２は貴石１５０４が埋め込まれているのが好ましい。境界層１５０６は貴石１５０４とベローズ１５１０との間に配置される。ベローズ１５１０は液体１５１２を収容する。流体制限部４ａ／４ｂはベローズ１５１０と中央流体キャビティ１５１４との間の流体流入を制限し、所望の追加的水圧耐性を提供する。ストロークリミッタ１５１５はプッシュボタン１５０２のストロークを制限し、ベローズ１５１０の破損を回避するようにする。金属ボス１５２０はキャビティ１５１４内の液体１５２２の動きを作動させる機構を支持する。迷路１５２６のチャネル１５２４の内部形状は、長方形、正方形（図１１Ｃおよび１１Ｄ）、または円形やその他の形状である。チャネル１５２４のシステムを創出するため、（取り付けられた貴石１５３３が板を突出できるようにするような）穴を備えた板１５３０は、台板１５６０に対して密封的かつ水密的に配置される。貴石１５３３など従来の装飾要素は、迷路１５２６のチャネル１５２４の上に配置または取り付けられる。該チャネル１５２４は、板１５３０が透明であることが好ましいことを考慮すると、着用者に視認可能である。液体の動きが活性化している間、通過チャネル１５３２は液体１５２２が隠しチャンバ１５３４に誘導されるように提供される。蓄積チャンバ１５３４は液体１５２２のための適切な蓄積空間を提供する。金属からなる弾性膜１５３６は、蓄積または隠しチャンバ１５３４を閉鎖する。例えば指輪１５４２のパラメトリック構造１５４０は迷路１５２６の枠を提供する。もちろん、スタッド、ブローチ、ピン、カフスボタン、ペンダント、またはネックレスなど、従来の宝飾品の指輪以外の形状も形成可能である。もちろん、指輪１５４２は指にフィットするための環状部１５４４を含む。
【００２７】
次に図１１Ｂを参照すると、指輪１５４２は、台板１５３４、および迷路１５２６を形成する上昇チャネル１５２４に、密閉的に取り付けられたガラス、クリスタル、またはサファイアの透明な窓または板を備える。上昇チャネル１５２４は台板１５６０に水密的に固定され、一部、台板の代わりにインベストメント鋳造でもよい。本実施態様によれば、宝飾品は異なる形状のチャネル１５２４を有し、例えば垂直チャネル、木構造チャネル、らせん状チャネル、またはその他の形状のチャネルである。チャネル１５２４の上空およびチャネル壁１５２５間には、例えば貴重な材料からなる要素など従来の宝飾品は、チャネルの境界に沿って、および／または装飾として、配置されてもよい。もちろん、貴石はチャネル内に配置されてもよい。
【００２８】
チャネル１５２４内での液体１５２２の最初の動きは、押圧、スライド、または、そうでない場合プッシュボタン１５０２などの宝飾要素の移動を介して作動するのが好ましい。この宝飾要素１５０２は境界層１５０６を介して第１ベローズ１５１０と流体連通する。指輪１５４２’の別の実施態様では、第１ベローズ１５１０は、装飾要素の押圧またはプッシュボタン１５０２によってチャネル１５２４に押圧される第１着色液体１５１２’または非着色液体１５２２を収容する。第１液体１５１２’は第２着色または非着色液体１５５０を押圧する。第１液体１５１２’および第２液体１５５０は非混合性である。指輪１５４２’の各チャネル１５２４はチャネル１５３２’の終端に隠しベローズ１５１１を有する。チャネル終端のベローズ１５１１は第２液体１５５０を再押圧してチャネル１５２４内に戻すことが可能で、その後第１液体１５１２’を第１ベローズ１５１０に戻す。この結果、実質的に第１の動きとは反対の方向へと第２の動きが作り出される。第１の動きの速度と第２の動きの速度は、チャネル自体の水圧耐性、または水圧耐性を増す物質（例えば高粘度要素）の追加、のいずれかによって、制御される。隠しチャンバ１５５２はベローズ１５１１をチャネル１５３２’の終端に収容するために提供される。
【００２９】
有利には、上記動作生成システムは、上記少なくとも２つの流体のうち少なくとも１つを撹拌するバッテリー駆動電気モータである。
【００３０】
有利には、上記動作生成システムは、上記少なくとも２つの流体のうち少なくとも１つの少なくとも１つを撹拌するスプリングバレル通電モータである。
【００３１】
有利には、上記動作生成システムは、最初上記ユーザーによって変形され、それからその平衡状態に戻る上記流体リザーバの、弾力性のある部分である。
【００３２】
有利には、上記動作生成システムは、上記少なくとも２つの流体のうち少なくとも１つの、上記環境温度および上記熱膨張特性の組み合わせである。
【００３３】
有利には、上記動作生成システムは、上記少なくとも２つの流体のうち少なくとも１つの、磁気吸引力および強磁性特性の組み合わせである。
【００３４】
有利には、上記動作生成システムは、上記少なくとも２つの流体のうち少なくとも１つの、上記構成物の着用者の動きおよび上記質量の組み合わせである。
【００３５】
有利には、上記動作生成システムは、重力効果、毛管作用など上記流体および／または上記流体リザーバおよび／または表面微小構成物および／または上記流体リザーバのコーティング、の表面張力を含む。
【００３６】
有利には、電源を入／切にする石あるいは石のような外観の要素、または上記流体内で沈む／現れる装飾要素など、上記構成物の装飾要素の外観が上記アニメーションによって変化する。上記アニメーションによって、上記流体は一時的および／または永久的に撹拌されてもよい。
【００３７】
有利には、上記パティキュレートは少なくとも２つの流体のうち少なくとも１つで懸濁する。
【００３８】
有利には、上記流体は少なくとも一部非混合性で、上記流体の少なくとも１つは液体でその他の流体は任意的に気体である。
【００３９】
有利には、１つの流体が他の流体と容易に視覚識別が可能となるように、上記流体は異なる色または屈折率である。金箔などの装飾要素は少なくとも１つの流体内で懸濁するのが好ましい。
【００４０】
有利には、上記リザーバは視覚可能または隠れた温度補償システムを含む。
【００４１】
有利には、上記構成物は時計である。
【００４２】
有利には、上記流体は機械的入力で移動可能である。
【００４３】
有利には、上記構成物は、上記移動要素の動きが１つまたはそれ以上の流体の存在によって制御可能である、密封システムである。
【００４４】
有利には、本発明の上記構成物の作動方法において、着用者は以下のステップを実行する。
ａ．上記構成物の向きを合わせるステップと、
ｂ．動作生成部を作動させるステップ、および／または
ｃ．角度を変えて重力が上記構成物を介して作用するように上記構成物の向きを変え、それによってアニメーション効果を変化または惹起するステップ。
【００４５】
本願で開示および説明される特定の実施形態は、本発明の代表的および最適な態様を示すものであって、本発明の範囲を制限することを意図したものでは決してないことを理解されたい。さらに、本願に含まれる様々な図で開示されるいかなる接続線も例示的機能的関係および／または様々な要素間の物理的結合を代表するよう意図されたものではない。多くの代替的または追加的な物理的結合あるいは機能的関係が存在し、当技術分野における通常の知識を有する者に明白であることを考慮されたい。
【００４６】
また、本願の器具、システム、および／または方法は、本願と同様の機能を有するすべての物品、サービスまたは情報の使用、販売および／または流通を意図したものである。
【００４７】
本願の明細書および図面は限定するためではなく例示的なものとして理解されたく、本願で説明されるすべての改良は、例えそれが出願時に明確に請求されていない場合でも、本願の請求する発明の範囲に包含されることを意図される。従って、本願発明の範囲は、上記された単なる例示案からではなく、添付される請求項、または後で補正あるいは追加される請求項、またはそれに法的に相当する物によって判断されるべきである。例えば、すべての方法または工程の請求項で記載されるステップは、特に記載のない限りどの順番であっても実行可能であり、請求項に記載される特定の順番に限定されるものではない。さらに、装置の請求項で記載される要素および／または部品は、本願と本質的に同様の成果をもたらす様々な置換で組立または操作的に構成されることも可能である。総じて、本願発明は請求項で記載される特定の構成に限定されるものではない。
【００４８】
本願で記載される便益、利点や解決法は、請求項の必須、重要または不可欠な特徴または要素であると考慮されるべきではない。
【００４９】
本願で用いられる「からなる」、「から構成される」やその他の同様の言い回しは、要素の非限定的な一覧を表すために用いられ、その要素一覧から構成される本発明の工程、方法、物品、構成または装置は記載される要素のみを含むわけではなく、本明細書に記載されるその他の要素を含むことも可能である。また、「を含む」、「を含んでなる」または「本質的に含む」といった言い回しは、別段に指定のない限り、列挙される要素のみに発明の範囲を限定する意図で用いられるものではない。本発明の実施に用いられる上記された要素、材料または構成の組み合わせまたは改良は、本発明の一般原則から逸脱することなく、当業者によってその他の設計に変更または適応することも可能である。
【００５０】
上記で挙げられた特許及び文献は、別段の記載のない限り、本開示に反しない範囲において、参照することにより本件に組み入れられる。
【００５１】
本発明の他の特徴および実施形態は、添付の請求項において説明される。
【００５２】
さらに、本発明は、新規性、進歩性及び産業上の利用性を具備すると考慮される本明細書、添付の請求項及び／又は図面において説明された全ての特徴の可能な全ての組み合わせから構成されることを考慮されたい。
【００５３】
上述された発明の実施形態において、様々な変更及び改良を加えることが可能である。本発明の、特定の具体的な実施形態が開示及び説明されたが、幅広い改良、変更及び置換が上述の実施形態では考慮される。上記の説明には多くの特定事項が含まれるが、発明の範囲を限定するものとしてではなく、むしろ１つ又はその他の好適な実施形態の例示であると考慮されたい。場合によっては、本発明のいくつかの特徴は、対応する他の特徴を使用することなく用いられる。従って、上述の説明は広義に解釈され、単なる実例又は例示として理解され、本発明の精神及び範囲は本出願で最終的に発行される請求項によってのみ限定されるべきである。
【図１Ａ】
2019529023.tif 000003
【図１Ｂ】
2019529023.tif 000004
【図１Ｃ】
2019529023.tif 000005
【図１Ｄ】
2019529023.tif 000006
2019529023.tif 000007
【図１Ｅ】
2019529023.tif 000008
【図１Ｆ】
2019529023.tif 000009
【図２Ａ】
2019529023.tif 000010
【図２Ｂ】
2019529023.tif 000011
【図２Ｃ】
2019529023.tif 000012
【図２Ｄ】
2019529023.tif 000013
【図２Ｅ】
2019529023.tif 000014
【図２Ｆ】
2019529023.tif 000015
【図２Ｇ】
2019529023.tif 000016
【図３Ａ】
2019529023.tif 000017
【図３Ｂ】
2019529023.tif 000018
【図３Ｃ】
2019529023.tif 000019
【図３Ｄ】
2019529023.tif 000020
【図３Ｅ】
2019529023.tif 000021
【図４Ａ】
2019529023.tif 000022
【図４Ｂ】
2019529023.tif 000023
【図４Ｃ】
2019529023.tif 000024
【図４Ｄ】
2019529023.tif 000025
【図５Ａ】
2019529023.tif 000026
【図５Ｂ】
2019529023.tif 000027
【図５Ｃ】
2019529023.tif 000028
【図６Ａ】
2019529023.tif 000029
【図６Ｂ】
2019529023.tif 000030
【図６Ｃ】
2019529023.tif 000031
【図６Ｄ】
2019529023.tif 000032
【図６Ｅ】
2019529023.tif 000033
【図６Ｆ】
2019529023.tif 000034
【図６Ｇ】
2019529023.tif 000035
【図７Ａ】
2019529023.tif 000036
【図７Ｂ】
2019529023.tif 000037
【図７Ｃ】
2019529023.tif 000038
【図７Ｄ】
2019529023.tif 000039
【図８Ａ】
2019529023.tif 000040
【図８Ｂ】
2019529023.tif 000041
【図８Ｃ】
2019529023.tif 000042
【図９Ａ】
2019529023.tif 000043
【図９Ｂ】
2019529023.tif 000044
【図９Ｃ】
2019529023.tif 000045
【図９Ｄ】
2019529023.tif 000046
【図９Ｅ】
2019529023.tif 000047
【図１０Ａ】
2019529023.tif 000048
【図１０Ｂ】
2019529023.tif 000049
【図１１Ａ】
2019529023.tif 000050
【図１１Ｂ】
2019529023.tif 000051
【図１１Ｃ】
2019529023.tif 000052
【図１１Ｄ】
2019529023.tif 000053
【国際調査報告】
2019529023.tif 000054
2019529023.tif 000055
2019529023.tif 000056